(57)【要約】      （修正有）【課題】人体に有益なマイナスイオン、遠赤外線などを放出して、使用者の健康に役立つ健康ブレスレットを提供する。【解決手段】健康ブレスレットは、所定の長さを有する第１のストラップ部材１１０と、第１のストラップ部材の一面に長手方向に沿って配置される複数のストーン部材１３０と、使用者の皮膚に触れる部分であって、第１のストラップ部材に対応する形状を有し、ストーン部材が配置された面に結合され、ストーン部材に対応する部分には露出孔１２２が形成され、ストーン部材の一部が露出孔を介して外部に露出される第２のストラップ部材１２０とを含む。【選択図】図２
0003198836.tif 000002
【実用新案登録請求の範囲】
【請求項１】
所定の長さを有する第１のストラップ部材と、
前記第１のストラップ部材の一面に前記第１のストラップ部材の長手方向に沿って配置される複数のストーン部材と、
使用者の皮膚に触れる部分であって、前記第１のストラップ部材に対応する形状を有し、前記第１のストラップ部材における前記ストーン部材が配置された面に結合され、前記ストーン部材に対応する部分には露出孔が形成され、前記ストーン部材の一部が前記露出孔を介して外部に露出される第２のストラップ部材と、
を含む健康ブレスレット。
【請求項２】
前記第２のストラップ部材に形成された前記露出孔の直径は、前記ストーン部材の直径より小さく形成され、前記ストーン部材が前記露出孔から離脱することを防止する、請求項１に記載の健康ブレスレット。
【請求項３】
前記第１のストラップ部材および前記第２のストラップ部材の材質は皮革である、請求項１に記載の健康ブレスレット。
【請求項４】
両端のうちのいずれか一方に他方と締結するための締結部材をさらに備える、請求項１に記載の健康ブレスレット。
【請求項５】
一端に球形の前記締結部材が備えられ、他端には前記締結部材の直径より小さい径の締結孔が設けられて、前記締結部材が前記締結孔に挿入されることによって両端が締結される、請求項４に記載の健康ブレスレット。
【考案の詳細な説明】
【技術分野】
【０００１】
本考案は健康ブレスレットに関し、より詳しくは、第１のストラップ部材と第２のストラップ部材の間にストーン部材が配置され、原石から放出されるマイナスイオンおよび遠赤外線が使用者の体に有益な影響を与え得る健康ブレスレットに関する。
【背景技術】
【０００２】
一般に赤外線は、可視光線の赤色領域より波長が長く熱作用が大きい電磁波の一種であって、波長が短いものは近赤外線といい、波長が長いものは遠赤外線という。遠赤外線は目に見えず、物質に吸収されやすく、有機化合物分子に対する共振および共鳴作用が強いのが特徴である。
【０００３】
また光の特性として、一般的に波長が短ければ反射しやすく、波長が長ければ物体に到逹した時に吸収されやすい性質があるので、浸透力が強く人の体もこの赤外線に当たれば暖かくなる。例えば、３０℃の水中では暖かい気をほとんど感じることができないが、同じ温度の日差しに当てて座っていれば暖かさを感じることができる。その理由は、日差しの中に含まれている遠赤外線が肌深く侵透して熱を作るためである。
【０００４】
このような熱作用は各種疾病の原因になる細菌を無くすことに役立ち、毛細血管を拡張させて血液循環や細胞組織の生成に助けとなる。また細胞を構成する水分やタンパク質分子に触れると、細胞を１分に２,０００回ずつ微細に振ることにより細胞組織を活性化して、老化防止、新陳代謝促進、慢性疲労など各種成人病予防に効果がある。
【０００５】
マイナスイオンとは、マイナス電荷を帯びた空気の原子要素であって、有害な陽イオンを中和させ、血をきれいにして神経の安定と疲労回復、食欲増進、細胞の活性化を促進させて健康な生活を可能にする。
【０００６】
さらに遠赤外線およびマイナスイオンは、上記の効果以外にも、最近問題となっている建築資材および物品などから発生するホルムアルデヒドおよび有機物などを減少、分解させる効果があることが知らされ、健康な生活を目指す人々の関心事となっている。
【０００７】
このように遠赤外線およびマイナスイオンの有益な効果に着目し、健康を重視する最近の傾向に合わせて、マイナスイオンおよび遠赤外線を放出する炭、鉱物質などの物質を用いた各種製品が開発、使用されており、そのうち、装飾性のあるアクセサリーと組み合わせた様々なアクセサリー製品が作られている。
【先行技術文献】
【特許文献】
【０００８】
【特許文献１】韓国登録実用新案２０−０３０４３１２号公報
【考案の概要】
【考案が解決しようとする課題】
【０００９】
本考案は、上記従来技術に鑑み、以下のような目的を有する。
第一に、本考案は、人体に有益なマイナスイオン、遠赤外線などを放出して、使用者の健康に役立つ健康ブレスレットを提供することを目的とする。
【００１０】
第二に、本考案は、人体に有益なマイナスイオン、遠赤外線などが外部に放出されることを最小化し、人体に与える影響を最大化できる健康ブレスレットを提供することを他の目的とする。
【００１１】
本考案の課題は、上述の課題に制限されず、言及していない他の課題は、以下の記載から当業者にとって明確に理解できることである。
【課題を解決するための手段】
【００１２】
本考案は、上記目的を達成すべくなされたものであり、第１のストラップ部材と、ストーン部材と、第２のストラップ部材とを含む。
【００１３】
第１のストラップ部材は所定の長さを有する。
【００１４】
第１のストラップ部材の一面に第１のストラップ部材の長手方向に沿って複数のストーン部材が配置される。
【００１５】
第２のストラップ部材は、使用者の皮膚に触れる部分であって、第１のストラップ部材に対応する形状を有し、第１のストラップ部材におけるストーン部材が配置された面に結合される。第２のストラップ部材におけるストーン部材に対応する部分には露出孔が形成され、ストーン部材の一部が露出孔を介して外部に露出される。
【００１６】
第２のストラップ部材に形成された露出孔の直径は、ストーン部材の直径より小さく形成され、ストーン部材が露出孔から離脱することを防止できる。
【００１７】
また、第１のストラップ部材および第２のストラップ部材の材質としては皮革が挙げられる。
【００１８】
本考案に係る健康ブレスレットは、その両端のうちのいずれか一方に他方と締結するための締結部材を備えてもよい。
【００１９】
たとえば、本考案に係る健康ブレスレットの一端には、球形の締結部材を備え、他端には前記締結部材の直径より小径の締結孔が設けられて、締結部材が締結孔に挿入されることによって両端が締結される。
【考案の効果】
【００２０】
本考案に係る健康ブレスレットは、以下のような効果を有する。
【００２１】
第一に、本考案に係る健康ブレスレットによれば、第１のストラップ部材と第２のストラップ部材との間に、人体に有益なマイナスイオン、遠赤外線などを放出するストーン部材を配置して、使用者の健康に役立つことができる。
【００２２】
第二に、本考案に係る健康ブレスレットによれば、身体に触れる第２のストラップ部材にストーン部材の直径より小径の露出孔が形成されて、ストーン部材が露出孔を介して外部に露出することにより、ストーン部材と身体が接触することができるので、人体に有益なマイナスイオン、遠赤外線などが外部に放出されることを最小化し、人体に及ぼす影響を最大化することができる。
【００２３】
本考案の効果は、上述の効果に制限されず、言及していない他の効果は、請求範囲の記載から当業者にとって明確に理解できることであろう。
【図面の簡単な説明】
【００２４】
以下の本考案の好ましい実施形態の詳細な説明および要約などは、添付の図面を参照することで一層良く理解されるものである。各図面は、本考案の好ましい実施形態を例示するためのものであり、本考案がそれに制限されるものではないことを理解するべきである。
【００２５】
【図１】本考案の一実施形態に係る健康ブレスレットの結合斜視図。
【図２】本考案の一実施形態に係る健康ブレスレットの分解斜視図。
【考案を実施するための形態】
【００２６】
以下、本考案の実施形態について添付の図面を参照し説明する。ただし、添付の図面は、本考案の内容をより容易に説明するためのものであり、本考案の範囲がそれらにより限定されないことは当業者には明らかである。
【００２７】
また本実施形態において、同等の機能を有する構成要素については同じ名称および同じ符号を付すが、実質的には従来技術の構成要素とはまったく同じものではないことを予め明らかにする。
【００２８】
本出願において使用した用語は、単に特定の実施形態を説明するために使用されたものであり、本考案を限定するものではない。単数の表現は文脈上明らかに異なる定義をしない限り、複数の表現を含む。本出願において、「含む」又は「有する」などの用語は、明細書に記載された特徴、数字、段階、動作、構成要素、部品又はそれらの組み合わせが存在することを指定しようとするものであり、１つ又はそれ以上の他の特徴、数字、段階、動作、構成要素、部品又はそれらの組み合わせの存在又は付加の可能性を予め排除しないものと理解されるべきである。
【００２９】
図１は、本考案の一実施形態に係る健康ブレスレットの結合斜視図であり、図２は本考案の一実施形態に係る健康ブレスレットの分解斜視図である。
【００３０】
以下、図１および図２を参照しながら、本考案の一実施形態に係る健康ブレスレットについて説明する。腕輪
【００３１】
図１および図２に示したように、本考案の一実施形態に係る健康ブレスレットは、第１のストラップ部材１１０と、ストーン部材１３０と、第２のストラップ部材１２０とを含む。
【００３２】
第１のストラップ部材１１０は所定の長さおよび幅を有する。第１のストラップ部材１１０の長さは大人の手首周りより長くてもよく、第１のストラップ部材１１０の幅は後述のストーン部材１３０の直径より広い。
【００３３】
第１のストラップ部材１１０の一面にはその長手方向に沿って複数のストーン部材１３０が形成されている。図において、ストーン部材１３０は平たい碁石状のものを例示しているが、本実施形態のストーン部材１３０は四角状、コイン状などの様々な形状を有することができる。
【００３４】
ストーン部材１３０は黄土、セラミックスなどの様々な材料で形成できるが、この実施形態におけるストーン部材１３０は原石から形成されている。特に、本実施形態におけるストーン部材１３０は、千枚岩（ｐｈｙｌｌｉｔｅ）で形成されてもよい。原石はマイナスイオン、遠赤外線などを放出することにより、人体の抗酸化作用、ｐｈ上昇、ストレスホルモン分泌の抑制などの効果を奏する。
【００３５】
第２のストラップ部材１２０は、使用者の皮膚に触れる部分であり、第１のストラップ部材１１０に対応する形状を有し、第１のストラップ部材１１０におけるストーン部材１３０が配置された面に結合される。すなわち、第１のストラップ部材１１０と第２のストラップ部材１２０との間にストーン部材１３０が位置することになる。
【００３６】
第１のストラップ部材１１０と第２のストラップ部材１２０は縫製によって結合され、審美性を高めることができる。しかし、第１のストラップ部材１１０と第２のストラップ部材１２０との結合はこれに限定されず、ボンドのような接着剤などにより結合することもでき、別途の結合部材を使用することもできる。
【００３７】
ストーン部材１３０に対応する部分には露出孔１２２が形成され、ストーン部材１３０の一部が露出孔１２２を介して外部に露出される。これにより、ストーン部材１３０が露出孔１２２を介して人体に接触することができる。
【００３８】
使用者の皮膚に触れる第２のストラップ部材１２０にのみ露出孔１２２を形成することにより、ストーン部材１３０から発生するマイナスイオン、遠赤外線などが外部に放出されることを最小化し、使用者に与える影響を最大にすることができる。これにより、原石が外部に露出されている一般アクセサリーに比べて抗酸化作用、ｐｈ上昇、ストレスホルモン分泌の抑制などの効果を最大限にすることができる。
【００３９】
第１のストラップ部材１１０および第２のストラップ部材１２０の材質としては皮革を使用することができる。
【００４０】
第１のストラップ部材１１０および第２のストラップ部材１２０の材質として金属が用いられた場合、金属は通常陽イオンを帯びるので人体に有益ではないだけではなく、ストーン部材１３０のマイナスイオンに会合すると、ストーン部材１３０のマイナスイオンの効果が減少され得る。さらにブレスレットのストラップに金属が使用されると、互いに隣接した金属を連結するために必要な連結具の部分に髪の毛や服などが引っ掛かることも有り得る。
【００４１】
したがって、第１のストラップ部材１１０および第２のストラップ部材１２０の材質として金属を使用しないことが望ましい。なお、第１のストラップ部材１１０および第２のストラップ部材１２０として合成樹脂のような人工材質にものを使用する場合にも、使用者の皮膚に悪影響を及ぼすことが有り得るので好ましくない。
【００４２】
このことから、第１のストラップ部材１１０および第２のストラップ部材１２０の材質として皮革を使用することが好ましい。
【００４３】
なお、第２のストラップ部材１２０に形成される露出孔１２２の直径は、ストーン部材１３０の直径より小径で形成され、ストーン部材１３０が露出孔１２２を介して人体に接触するとともに、該露出孔１２２から離脱することを防止できる。
【００４４】
また、本実施形態における健康ブレスレットは、両端のうちのいずれか一方に他方と締結するための締結部材１４０を備えてもよい。
【００４５】
本実施形態において、ブレスレットの一端にはブレスレット上から離れるほど直径が大きくなる締結部材１４０が設けられ、他端には締結部材１４０の末端の直径より小さい径の締結孔１５０が形成されて、締結部材１４０が締結孔１５０に挿入されることによりブレスレットの両端が締結される。
【００４６】
しかし、ブレスレットの両端を締結するための構造は上述のものに制限されず、ブレスレットの両端を締結できる構造であればいかなる構成でも適用可能である。
【００４７】
以上、本考案の望ましい実施形態を説明したが、本考案の趣旨又は範囲から逸脱しない限り、種々の変更を行い得ることは当業者には明らかに理解できることであろう。したがって、上述した実施形態は制限的なものでなく、例示的なものとして見なすべきであり、これによって本考案は上述の詳細な説明に限定されず、添付の請求項の範疇及びその同等の範囲内で変更可能である。
【符号の説明】
【００４８】
１１０  第１のストラップ部材
１２０  第２のストラップ部材
１２２  露出孔
１３０  ストーン部材
１４０  締結部材
１５０  締結孔
【図１】
0003198836.tif 000003
【図２】
0003198836.tif 000004